(57)【要約】【課題】  建物床下の土中に埋め込む伝熱パイプの先端にヒートシンクを設けると共に該ヒートシンクの上部あるいは下部にファンを設けてなることを特徴とする地熱利用装置。【解決手段】  伝熱パイプの先端にヒートシンクを設けることにより、シンプルな構造ながら放熱効率を最大限に生かすことができると共に、工事が簡単であり、費用も安価で済む地熱利用装置を提供する。【選択図】  図１
2007057215.tif 000002
【特許請求の範囲】
【請求項１】
建物床下の土中に埋め込む伝熱パイプの先端にヒートシンクを設けると共に該ヒートシンクの上部あるいは下部にファンを設けてなることを特徴とする地熱利用装置。
【請求項２】
ヒートシンクの基板に通孔を設けてなることを特徴とする請求項１記載の地熱利用装置。
【請求項３】
伝熱パイプを水平方向蛇行状に形成してなることを特徴とする請求項１又は２記載の地熱利用装置。
【請求項４】
伝熱パイプに、土の表面より適宜突出するエアー吸入口を設けてなることを特徴とする請求項１、２又は３記載の地熱利用装置。
【請求項５】
土の表面より突出する伝熱パイプの外周に断熱材を設けてなることを特徴とする請求項１、２、３又は４記載の地熱利用装置。
【請求項６】
土の表面より突出する伝熱パイプの外側にカバーを設けてなることを特徴とする請求項１、２、３、４又は５記載の地熱利用装置。
【請求項７】
ファンとヒートシンクを覆うファンカバーを設け、該ファンカバーの下端部がヒートシンクのフィンの中央部付近に位置するように設けてなることを特徴とする請求項１、２、３、４、５又は６記載の地熱利用装置。
【請求項８】
少なくとも伝熱パイプ内にマイナスイオン放射体を設けてなることを特徴とする請求項１、２、３、４、５、６又は７記載の地熱利用装置。
【発明の詳細な説明】
【技術分野】
【０００１】  本発明は、建物における床下の土に埋設し、地中の地熱を効率よく利用可能な冷暖房効果を有する地熱利用装置に関するものである。
【背景技術】
【０００２】  従来の技術としては、建物床下の地中に、１又は複数の地熱汲み上げ用のパイプを埋め込んで、このパイプの内部空間と床下空間を互いに連通させるとともに、これら内部空間と床下空間にわたって、砂利等の蓄熱用の石材を充填したことを特徴とする地熱を利用した建物の暖冷房構造がある。（特許文献１参照）【０００３】  また、別の従来技術として、建物基礎下部土中に打ち込まれ、先端が閉鎖された基礎抗の内部に送風用パイプを差込み、建物１階床下に断熱材で囲われ蓄熱用コンクリートのある蓄熱槽内部に設置された送風機から、各基礎抗の送風用パイプに蓄熱槽内部の空気を強制的に送り込み、ゆっくり循環させて基礎抗周囲の年間を通して温度変化の少ない地熱を取り込んで蓄え、直接吹出し扇から送風する事や、又は熱交換器を通して建物の冷暖房や給湯に活用する基礎抗利用の地熱活用工法及び装置がある。（特許文献２参照）【０００４】  さらにまた、別の従来技術として、地中に多層構造のパイプを埋め込み、前記多層構造を構成する各パイプ間に形成される空間部に空気を送給して循環させ、最も外側のパイプの土中部分の壁を介して前記空気と恒温状態の土との間で熱交換を行わせて前記空気の加熱・冷却を行わせるシステムにおいて、多層構造のパイプのうち、土と直接接触する外側のパイプの材質がアルミ押出材であることを特徴とする地熱吸収パイプ材がある。（特許文献３参照）
【特許文献１】  特開２００３−２２１８８３
【特許文献２】  特開２００２−３７２３１５
【特許文献３】  特開２００１−２８０７１１
【発明の開示】
【発明が解決しようとする課題】
【０００５】  上記前者は、床下空間内及びパイプ内部空間内に石材を充填してなるものであり、工事に多大な費用が掛ると共に、湿度が高い場所においては逆に建物に悪影響を及ぼすことが考えられる。【０００６】  また、前記中者は、基礎坑内に設けた送風用パイプを通して蓄熱槽内部の空気を直接吹出し扇から送風するのものであり、これもまた工事に多大な費用が掛ると共に、建物基礎に送風パイプを設けるため基礎の強度を低下させる恐れがある。【０００７】  さらに、上記後者は、パイプの材質がアルミ押出材であり、周知の技術の範囲内と思われる。【０００８】  本発明は、上記の問題点に鑑みなされたもので、伝熱パイプの先端にヒートシンクを設けることにより、シンプルな構造ながら放熱効率を最大限に生かすことができると共に、工事が簡単であり、費用も安価で済む地熱利用装置を提供することを目的とするものである。
【課題を解決するための手段】
【０００９】  本発明は上記目的を達成するための手段として、建物床下の土中に埋め込む伝熱パイプの先端にヒートシンクを設けると共に該ヒートシンクの上部あるいは下部にファンを設けてなる。
また、伝熱パイプを水平方向蛇行状に形成してなる。
さらに、伝熱パイプに、土の表より適宜突出するエアー吸入口を設けてなる。
さらにまた、土の表面より突出する伝熱パイプの外周に断熱材を設けてなる。
そして、土の表面より突出する伝熱パイプの外側カバーを設けてなる。
そして、ファンとヒートシンクを覆うファンカバーを設け、該ファンカバーの下端部がヒートシンクのフィンの中央部付近に位置するように設けてなる。
そしてまた、少なくとも伝熱パイプ内にマイナスイオン放射体を設けてなる。
【発明の効果】
【００１０】  本発明は、以下の効果を有するものである。
１）、伝熱パイプの先端にヒートシンクを設けることにより、伝熱パイプから伝わるパイプ内空気（１５℃〜２０℃）をヒートシンクにて、効率よく放熱することができる。
２）、ヒートシンクの上部あるいは下部にファンを設けることにより、ヒートシンクの放熱効率を一層向上させることができる。
３）、ヒートシンクの基盤に通孔を設けることにより、パイプ内空気（１５℃〜２０℃）を直接建物内に取り入れることができると共に、フィンにパイプ内空気（１５℃〜２０℃）を伝達し易く、一層効率よく放熱できる。
４）、伝熱パイプを水平方向に蛇行状に形成することにより効率よくパイプ内空気（１５℃〜２０℃）を取り込むことができる。
５）、伝熱パイプにエアー吸入口を設けることにより外気を伝熱パイプ内に簡単・容易に入れ込むことができる。
６）、伝熱パイプの外周に断熱材を設けることにより、パイプ内空気（１５℃〜２０℃）をそのまま室内に送り込むことができる。
７）、冷却カバーの外側にカバーを設けることにより、一層断熱効果を向上させてある。
８）、ファンカバーを設けることにより、ヒートシンクのフィンに接触するパイプ内空気（１５℃〜２０℃）を効率よくファンにて室内に取りこむことができる。
９）、マイナスイオン放射体を伝熱パイプ内に設けることにより、体感温度を下げる効果がある。
【発明の実施するための最良の形態】
【００１１】  以下、本発明の実施の形態を図面に基づいて詳細に説明する。
１は、地熱利用装置である。
２は、建物下の床下の土中ＤＴに埋め込んで使用する伝熱パイプで、アルミ製等により水平方向（平面）蛇行状に形設すると共に、先端部を垂直に形設してなるもので、先端部を下方に折曲してなるエアー吸入口２ａを後部に突設してある。
３は、上記伝熱パイプ内２の先端面に固設してなるヒートシンクで複数のフィン３ａを突設してあり、アルミ製あるいは銅製等で形成されてなると共に、基板３ｂの中央付近に通孔３ｂ１を設けてある。
４は、上記伝熱パイプ２の先端部の外周に周設してなる例えば発泡材による断熱材である。
５は、上記伝熱パイプ２の外側に設けてなるステンレススチール製等によるカバーである。
６は、上記ヒートシンク３の上部に設けてなるファンであり、室内へパイプ内空気（１５℃〜２０℃）を送り込むものである。
７は、上記ファン７とヒートシンク３を覆うファンカバーで、下端部外周端面７ａか、ヒートシンク３のクイン３ａの中央部付近上下位置になるように設けてなるものである。
８は、上記伝熱パイプ２内に設けてなるマイナスイオンを放射するセラミック製によるボール状のマイナスイオン放射体で、適当量入れてなり、風（パイプ内空気（１５℃〜２０℃））が触れることによりマイナスイオン（１ｃｃ当たり２０００〜３０００個が望ましい）を発生させることにより、体感温度を下げるものである。
【００１２】  上記のように構成した地熱利用装置１の使用例について説明する。
まず、建物Ｔの床下の土中ＤＴに伝熱パイプ２を埋める場合、通常の工事時（基礎を施工する時に、ショベルカー等にて上を取り除く）に１ｍ前後掘る。よって工事費も安価となる。
つぎに、伝熱パイプ２を土中ＤＴに土を入れて埋め戻し、コンクリートを打設し、コンクリート土間ＫＤを施工する。
この時、エアー吸入口２ａはコンクリート土間ＫＤより突設してなる。
つづいて、伝熱パイプ２の先端面にヒートシンク３を溶接等により固着する。
その後、伝熱パイプ先端部の外周に断熱材４を周設し、建物Ｔにおける床Ｙにおける吹出口Ｆの下方にファン６を設けると共に、ファンカバー７を取り付ける。
最後に、カバー５を取り付ける。
【００１３】  この状態で、ファン６を作動させることにより、エアー吸入口２ａより空気Ｋが吸い込まれ、冷やされた伝熱パイプ２の内周面と触れると共に、イオン放射体８（パイプ内空気（１５℃〜２０℃）を蓄熱している）に触れることによりマイナスイオンを多く含むパイプ内空気（１５℃〜２０℃）Ｋ１として上方に移動する。
この時、冷却された伝熱パイプ２の先端面からのパイプ内空気（１５℃〜２０℃）がヒートシンク３の基板３ｂに伝達されると共に、通孔３ｂ１から流出するパイプ内空気（１５℃〜２０℃）Ｋ２が基板３ｂに伝達されると共に、フィン３ａにも伝達される。
つまり、パイプ内空気（１５℃〜２０℃）Ｋ２をファン６にて建物Ｔ内に取り入れることができると共に、効率よくヒートシンク３をパイプ内空気温度にさせることにより放熱効率を向上させてなる。
【００１４】  つぎに、他の実施例を説明する。
この地熱利用装置２１は、前記と同様な伝熱パイプ２２の先端部（垂直）を長くして、建物Ｔ１の壁ＫＢ内に設けるもので、伝熱パイプ２２の先端面に通孔２３ｂ１を設けたＬ字形の基板２３ｂに、水平方向に形成したフィン２３ａを設けてなるヒートシンク２３を固設してなるもので、フィン２３ａの側方にファン２６を設け、ヒートシンク２３及びファン２６の全体を覆うファンカバー２７を壁ＫＢに取り付けてなるものである。
【００１５】  上記地熱利用装置２１の作用を説明する。
まず、ファン２６を作動させることにより伝熱パイプ２２から伝達されたパイプ内空気（１５℃〜２０℃）は基板２３ｂに直接伝わると共に、伝熱パイプ２２内のパイプ内空気（１５℃〜２０℃）Ｋ３は、通孔２３ｂ１を通ってフィン２３に当たり、ヒートシンク２３全体をパイプ内空気温度にさせることができ、ファン２６にて効率よくヒートシンク２３からパイプ内空気（１５℃〜２０℃）を吸出口Ｆ１より建物Ｔ１内に取り入れるものである。
【００１６】  なお、上記各実施例におけるファンの能力、ヒートシンクの形態、伝熱パイプの大きさ及び長さ、イオン放射体の形態及び量等は、使用する建物の大きさや必要とする温度等によって決めればよく、特に限定するものではない。
【図面の簡単な説明】
【００１７】
【図１】  本発明の第１実施例を示す地熱利用装置の一部縦断正面図。
【図２】  本発明の第１実施例を示す地熱利用装置の伝熱パイプの平面図。
【図３】  本発明の第２実施例を示す地熱利用装置の一部縦断正面図。
【符号の説明】
【００１８】１−−−地熱利用装置
２−−−伝熱パイプ
２ａ−−エアー吸入口
３−−−ヒートシンク
３ａ−−フィン
３ｂ−−基板
４−−−断熱材
５−−−カバー
６−−−ファン
７−−−ファンカバー
８−−−マイナスイオン放射体
ＤＴ−−土中
Ｔ−−−建物
ＫＤ−−コンクリート土間
Ｆ−−−吹出口
Ｋ−−−空気
ＫＢ−−壁
【図１】
2007057215.tif 000003
【図２】
2007057215.tif 000004
【図３】
2007057215.tif 000005